(57)【要約】【課題】植え込みの雑草の生育を防止する太陽光遮蔽構造体を提供することを目的とする。【解決手段】平面視帯状の植え込み（３）の土面（４）を、被覆状に前後方向に敷設される複数枚のパネル体（１）からなり、前後隣り合うパネル体（１），（１）において、後方のパネル体（１）の前端縁部（１０）が、前方のパネル体（１）の後端縁部（１１）を被覆している。さらに、複数枚のパネル体（１）の内少なくとも一枚のパネル体（１）は、前端縁部（１０）及び後端縁部（１１）の少なくとも一方に、植え込み（３）の植木（５）を差し込む回避用切欠部（１２）を凹設している。【選択図】　図１
2004008028.tif 000002
【特許請求の範囲】
【請求項１】
平面視帯状の植え込み（３）の土面（４）を、被覆状に前後方向に敷設される複数枚のパネル体（１）からなり、前後隣り合うパネル体（１）（１）において、後方のパネル体（１）の前端縁部（１０）が、前方のパネル体（１）の後端縁部（１１）を被覆し、さらに、上記複数枚のパネル体（１）の内少なくとも一枚のパネル体（１）は、前端縁部（１０）及び後端縁部（１１）の少なくとも一方に、植え込み（３）の植木（５）を差し込む回避用切欠部（１２）を凹設していることを特徴とする太陽光遮蔽構造体。
【請求項２】
前後隣り合うパネル体（１）（１）において、後方のパネル体（１）の前端縁部（１０）の下面に、左右側方及び前方開口の段付状嵌合溝（１３）が形成され、該段付状嵌合溝（１３）に、前方のパネル体（１）の後端縁部（１１）が嵌め込まれている請求項１記載の太陽光遮蔽構造体。
【請求項３】
パネル体（１）の上面が、横断面、凹状に弯曲形成されている請求項１又は２記載の太陽光遮蔽構造体。
【請求項４】
回避用切欠部（１２）から突出した植木（５）を挟みつつ該回避用切欠部（１２）を被覆する半割体（２０）（２０）に分割可能な円環状重し部材（２）を、パネル体（１）に載置した請求項１、２又は３記載の太陽光遮蔽構造体。
【発明の詳細な説明】
【０００１】
【発明の属する技術分野】
本発明は、植え込みの土面を被覆する太陽光遮蔽構造体に関する。
【０００２】
【従来の技術】
従来より、（中央分離帯や側道帯等の）植え込みの土面の全面は、外部に露出しているため、土面全面において、太陽の光を受けていた。
【０００３】
【発明が解決しようとする課題】
しかしながら、従来のように土面全面に太陽光が照射されていると、植木以外の場所から雑草が生育し、その雑草の処理作業に手間がかかっていた。また、二次的被害として、植え込みの雑草の処理作業により、道路の車線が減少され、渋滞を招く原因となっていた。さらに、植木のための養分が、雑草により、吸収されていた。
【０００４】
そこで、本発明は、植え込みの雑草の生育を防止する太陽光遮蔽構造体を提供することを目的とする。
【０００５】
【課題を解決するための手段】
上述の目的を達成するために、本発明に係る太陽光遮蔽構造体は、平面視帯状の植え込みの土面を、被覆状に前後方向に敷設される複数枚のパネル体からなり、前後隣り合うパネル体において、後方のパネル体の前端縁部が、前方のパネル体の後端縁部を被覆し、さらに、上記複数枚のパネル体の内少なくとも一枚のパネル体は、前端縁部及び後端縁部の少なくとも一方に、植え込みの植木を差し込む回避用切欠部を凹設しているものである。
【０００６】
また、前後隣り合うパネル体において、後方のパネル体の前端縁部の下面に、左右側方及び前方開口の段付状嵌合溝が形成され、該段付状嵌合溝に、前方のパネル体の後端縁部が嵌め込まれている。また、パネル体の上面が、横断面、凹状に弯曲形成されている。また、回避用切欠部から突出した植木を挟みつつ該回避用切欠部を被覆する半割体に分割可能な円環状重し部材を、パネル体に載置している。
【０００７】
【発明の実施の形態】
以下、実施の形態を示す図面に基づき、本発明を詳説する。
【０００８】
図１と図２と図３に、本発明に係る太陽光遮蔽構造体の実施の一形態を示し、本構造体は、平面視帯状の植え込み３の土面４を被覆し、かつ、植え込み３の植木５を避けて植え込み３の前後方向に敷設される複数枚のパネル体１からなり、被覆した土面４において、太陽光線Ｂの照射を阻止して雑草の生育を防止するようにしている。なお、植え込み３の長手方向を前後方向とする。
【０００９】
植え込み３は、中央分離帯や側道帯等に設けられ、平面視帯状の容器からなり、その容器内部に、養分を含む土が充填されると共に、複数本の植木５が植え込まれている。
【００１０】
パネル体１は、焼き物、コンクリート、合成樹脂等からなり、植え込み３の左右幅と略同一の幅寸法に形成され、植え込み３の左右側壁３ａ，３ａの上端面に架け渡して載置されている。
【００１１】
なお、パネル体１の材質が合成樹脂の場合、例えば、（ペットボトルの廃品、農業用ビニールハウスで使用後のビニールの廃材等の）再生原料の合成樹脂を用いて成形する共に、太陽光線Ｂを遮る色素を着色しておく。
【００１２】
そして、前後隣り合うパネル体１，１において、後方のパネル体１の前端縁部１０が、前方のパネル体１の後端縁部１１を被覆するように、屋根瓦状に組み立てられている。なお、後方のパネル体１は、前方のパネル体１に、載置しておらず、各パネル体１は、単独で移動自在となる。
【００１３】
具体的に述べると、前後隣り合うパネル体１，１において、後方のパネル体１の前端縁部１０の下面に、左右側方及び前方開口の（左右方向の）段付状嵌合溝１３が形成され、段付状嵌合溝１３に、前方のパネル体１の後端縁部１１が（微小隙間を有して）嵌め込まれている。
【００１４】
従って、本構造体の組み立ての際は、後方のパネル体１の前方又は左右側方から前方のパネル体１を、順次、差し込むことで、組み立てることができる。他方、組み立てられた本構造体の分解において、前方又は後方から順次パネル体１を取り除くことで分解できる。また、組み立てられた本構造体において、前後方向中途部のパネル体１を、左右方向から引き抜くことができ、その部分において、土の入れ換えや、養分の補給を、容易かつ迅速に行うことができる。
【００１５】
さらに、複数枚のパネル体１の内少なくとも一枚のパネル体１は、前端縁部１０及び後端縁部１１の少なくとも一方に、植え込み３の植木５を差し込む回避用切欠部１２を凹設している。
【００１６】
この回避用切欠部１２は、予め、植木５が配置される位置に達するまで、パネル体１の端面から切り込まれて形成される。また、回避用切欠部１２の大きさは、植木５の生長を見込んで、植木５の径よりも若干大きく形成されている。そして、パネル体１を組み立てるときに、回避用切欠部１２を植木５に嵌め込みながら、組み立てることで、植木５を避けて、本構造体を組み立てることができる。即ち、回避用切欠部１２が、植木５の貫通用孔部を形成している。
【００１７】
なお、この貫通用孔部は、前後隣り合うパネル体１，１において、後方のパネル体１の前端縁部１０の回避用切欠部１２と、前方のパネル体１の後端縁部１１の回避用切欠部１２と、の合体にて形成するようにしてもよく、また、貫通用孔部の形成位置は、パネル体１の左右幅中央位置に限らず、右寄り、又は、左寄りであってもよい。
【００１８】
さらに、パネル体１の上面は、図３に示すように、横断面、凹状（アール状）に弯曲形成されている。即ち、パネル体１の上面は、回避用切欠部１２へ向って傾斜しており、雨水や夜露等を、矢印で示すように、回避用切欠部１２から、植木５の根元の土面４に流し込むことができる。なお、パネル体１の下面が、土面４に接触するようにすれば、確実かつ迅速に、植木５の根元に水分を供給できる。
【００１９】
また、図４と図５に示すように、回避用切欠部１２から突出した植木５を外嵌しつつ回避用切欠部１２を被覆する円環状重し部材２を、パネル体１に載置している。具体的に述べると、円環状重し部材２は、コンクリート製の分割可能な半割体２０，２０からなり、２つの半割体２０，２０にて、植木５を両側から挟み込み、２つの半割体２０，２０の夫々の外周面に凹設された周溝２１，２１に、（合成繊維からなる）紐２２を巻設して縛って、２つの半割体２０，２０が離れないようにしている。
【００２０】
従って、回避用切欠部１２が深く形成されている場合は、回避用切欠部１２の隙間部分から、土面４に、太陽光線Ｂが照射される虞れがあるが、円環状重し部材２により、回避用切欠部１２の隙間部分を覆って、太陽光線Ｂの土面４への照射を防止することができる。また、円環状重し部材２の重量を、５ｋｇ〜１０ｋｇとすることで、暴風によりパネル体１が吹き飛ぶのを防止することができる。
【００２１】
また、円環状重し部材２の内面と植木５との間の隙間から、太陽光線Ｂが土面４へ照射するのを防止するために、その隙間に、（腐敗防止等の）耐候性を有すると共に太陽光線Ｂの透過を防ぐように着色された（図示省略の）布を、詰めるのが好ましい。
【００２２】
なお、図６に、他の円環状重し部材２を示し、円環状重し部材２の上面内面側に、周方向の嵌込凹部２３を設け、その嵌込凹部２３に、（ゴム製又は樹脂製の）半割体に分割可能な環状パッキン２４を取り付け、環状パッキン２４の孔部に植木５を挿通している。従って、植木５が生長しても、環状パッキン２４は、弾性変形により、逃げることができ、植木５の生長を妨げることがない。しかも、円環状重し部材２の孔部を、一層大きく形成することができ、植木５の生長を妨げることがなく、植木５の生長に伴って円環状重し部材２を交換する必要がない。もちろん、環状パッキン２４は、弾性変形により、常時、植木５に密着し、太陽光線Ｂが進入する隙間の発生を防止することができる。
【００２３】
また、図４に示す円環状重し部材２に代えて、図７に示すように、半割体に分割可能な環状布体６にて、植木５を挟みつつ、回避用切欠部１２をパネル体１の裏側から塞ぐように、環状布体６をパネル体１の裏側に取り付けるようにしてもよい。若しくは、回避用切欠部１２に対向する土面４に、環状布体６を敷設するようにしてもよい。なお、環状布体６は、太陽光線Ｂの透過を防ぐように（黒色等にて）着色されている。
【００２４】
また、図４に示す円環状重し部材２に代えて、図８に示すように、布片７のスリット７ａにて、植木５を挟みつつ、回避用切欠部１２をパネル体１の裏側から塞ぐように、布片７をパネル体１の裏側に取り付けるようにしてもよい。従って、植木５が生長しても、布片７は、スリット７ａを広げて逃げることができ、植木５の生長を妨げない。しかも、回避用切欠部１２の孔部を、一層大きく形成することができ、植木５の生長を妨げることがなく、植木５の生長に伴ってパネル体１を交換する必要がない。
【００２５】
なお、本発明は上述の実施の形態に限定されず、本発明の要旨を逸脱しない範囲で設計変更可能である。例えば、パネル体１の材質を、連通多孔性人工岩石や連通多孔性アスファルト等の透水性・浸水性に優れた材質とし、雨水を、土面４の全面に注ぐようにしてもよい。また、円環状重し部材２、環状布体６、布片７等の材質を、透水性・浸水性に優れた材質とするようにしてもよい。
【００２６】
【発明の効果】
本発明は上述の如く構成されるので、次に記載する効果を奏する。
【００２７】
（請求項１によれば、）植え込み３の土面４への太陽光線Ｂの照射を阻止して雑草の生育を防止することができるため、植え込み３における雑草の処理作業を省くことができ、二次的被害としての渋滞を招くことがなく、植木５のための養分を十分に確保することができる。
【００２８】
また、パネル体１を、予め、（工場で）植え込み３の形状に合った寸法で製造し、現場で、組み立てることができるため、作業能率が向上する。また、持ち運びが容易となる。さらに、隣り合う前後のパネル体１，１の継ぎ目からの太陽光線Ｂの進入を確実に防ぐことができる。しかも、植木５を避けてパネル体１を組み立てることができる。
【００２９】
（請求項２によれば、）組み立てられた本構造体において、部分的に、パネル体１を（側方から）取り外し、取り付けることができ、パネル体１の交換、土の交換、養分の補給等を、迅速かつ容易に行うことができる。
（請求項３によれば、）植木５の根元へ、雨水・夜露等を誘導することができ、植木５のための水を確実に確保することができる。
（請求項４によれば、）土面４への太陽光線Ｂの進入を防止する役割と、パネル体１の飛散を防止する重りとしての役割と、を兼用することができる。
【図面の簡単な説明】
【図１】本発明の実施の一形態を示す平面図である。
【図２】図１のＸ−Ｘ断面図である。
【図３】図１のＹ−Ｙ断面図である。
【図４】要部拡大平面図である。
【図５】要部拡大断面図である。
【図６】他の実施の形態を示す断面図である。
【図７】別の実施の形態を示す平面図である。
【図８】さらに他の実施の形態を示す平面図である。
【符号の説明】
１　パネル体
２　円環状重し部材
３　植え込み
４　土面
５　植木
１０　前端縁部
１１　後端縁部
１２　回避用切欠部
１３　段付状嵌合溝
２０　半割体
【図１】
2004008028.tif 000003
【図２】
2004008028.tif 000004
【図３】
2004008028.tif 000005
【図４】
2004008028.tif 000006
【図５】
2004008028.tif 000007
【図６】
2004008028.tif 000008
【図７】
2004008028.tif 000009
【図８】
2004008028.tif 000010